(57)【要約】【課題】記録ヘッドに保存液が残存し難いインクジェット記録装置を提供する。【解決手段】インクジェット記録装置１は、記録ヘッド２１と、インク供給タンクと、インク供給機構３と、計測部５１と、記憶部６と、制御部７とを備える。記録ヘッド２１は、インク吐出面２２を有し、記録媒体Ｗに画像を形成する際にインク吐出面２２からインクを吐出する。インク供給タンクは、インクを貯留する。インク供給機構３は、インク供給タンクから記録ヘッド２１へインクを供給する。計測部５１は、インク供給機構３が記録ヘッドに供給するインクの量を計測する。記憶部６は、記録ヘッド２１に充填されている保存液の量を記憶する。制御部７は、計測部５１の計測値と保存液の量とに基づいてインク供給機構３にインクを供給させ、保存液をインク吐出面２２から排出させる。【選択図】図１４
2020131621.tif 000002
【特許請求の範囲】
【請求項１】
インク吐出面を有し、記録媒体に画像を形成する際に前記インク吐出面からインクを吐出する記録ヘッドと、
前記インクを貯留するインク供給タンクと、
前記インク供給タンクから前記記録ヘッドへ前記インクを供給するインク供給機構と、
前記インク供給機構が前記記録ヘッドに供給する前記インクの量を計測する計測部と、
前記記録ヘッドに充填されている保存液の量を記憶する記憶部と、
前記計測部の計測値と前記保存液の量とに基づいて前記インク供給機構に前記インクを供給させ、前記保存液を前記インク吐出面から排出させる制御部と
を備える、インクジェット記録装置。
【請求項２】
前記インク供給機構は、前記インクに正圧、又は負圧を加えることができ、
前記制御部は、前記インクに正圧を加えて前記保存液を排出した後、前記インクに負圧を加えるように前記インク供給機構を制御する、請求項１に記載のインクジェット記録装置。
【請求項３】
前記記録ヘッドの前記インク供給機構への着脱を検知する検知部と、
表示部と
を更に備え、
前記制御部は、前記検知部が前記記録ヘッドの前記インク供給機構への取付けを検知しない場合、メッセージを表示するように前記表示部を制御する、請求項１又は請求項２に記載のインクジェット記録装置。
【請求項４】
複数の前記インク供給タンクと、
複数の前記インク供給機構と、
複数の前記計測部と
を備え、
前記制御部は、前記計測部の各々の計測値に基づいて、前記インク供給機構の各々が単位時間当たりに供給する前記インクの量を示すインク流量を算出して、前記インク流量が最も高い前記インク供給機構を選択し、選択された前記インク供給機構と同じ前記インク流量となるように、選択されなかった前記インク供給機構に加えられる正圧の大きさを制御する、請求項１から請求項３のいずれか１項に記載のインクジェット記録装置。
【請求項５】
前記記録ヘッドの前記インク供給機構への着脱を検知する検知部を更に備え、
前記インク供給機構は、
前記インク供給機構から前記記録ヘッドに前記インクを供給する上流管と、
前記記録ヘッドから前記インク供給機構に前記インクを還流する下流管と、
前記上流管から前記下流管へ前記インクを直行させる直行管と、
前記直行管に設けられ、前記直行管を開閉する第１弁と、
前記下流管と前記直行管との合流部よりも下流側において、前記下流管に設けられ、前記下流管を開閉する第２弁と、
前記インク供給タンクから、前記上流管に前記インクを供給するポンプ部と
を有し、
前記制御部は、前記検知部が前記記録ヘッドの前記インク供給機構への取付けを検知すると、前記第１弁を開放して前記第２弁を閉鎖したのち、前記ポンプ部を駆動し、前記保存液を前記インク吐出面から排出させる、請求項１から請求項４のいずれか１項に記載のインクジェット記録装置。
【請求項６】
前記制御部は、前記保存液を前記インク吐出面から排出させたのち、前記第１弁を閉鎖して前記第２弁を開放して、前記ポンプ部を駆動し、空気を前記下流管から前記ポンプ部へ還流させる、請求項５に記載のインクジェット記録装置。
【発明の詳細な説明】
【技術分野】
【０００１】
本発明は、インクジェット記録装置に関する。
【背景技術】
【０００２】
インクジェット記録装置は、記録ヘッドからインクを記録媒体に向かって吐出することにより画像を形成する。
【０００３】
記録ヘッドは、インクジェット記録装置本体に装着される前は保存液が充填されている。保存液は、記録ヘッド内のインク流路が乾燥することを防ぐ。インク流路に液体が充填されていないと、インクを導入した際にインク流路に気泡が発生する。インク流路で気泡が発生すると、インクの噴射不良が生じて画像の正常な形成を阻害する場合がある。保存液は、染料、又は顔料の有無を除いて、インクと同様の特性を有する。保存液は、インクジェット記録装置本体に記録ヘッドが装着されたのち、記録ヘッドから除去される。
【０００４】
特許文献１に記載のインクジェット記録装置は、記録ヘッド内に充填されている保存液を１回の吸引動作により吸引して除去する。
【先行技術文献】
【特許文献】
【０００５】
【特許文献１】特開平１０−２７２７８５号公報
【発明の概要】
【発明が解決しようとする課題】
【０００６】
しかしながら、特許文献１に記載のインクジェット記録装置は、記録ヘッドに充填されている保存液の量を考慮することなく、保存液を１回の吸引動作によって除去する。このため、記録ヘッドに充填されている保存液の量によっては、保存液が記録ヘッドに残存することがある。
【０００７】
本発明は、上記課題に鑑みてなされたものであり、記録ヘッドに保存液が残存し難いインクジェット記録装置を提供することを目的とする。
【課題を解決するための手段】
【０００８】
本発明に係るインクジェット記録装置は、記録ヘッドと、インク供給タンクと、インク供給機構と、計測部と、記憶部と、制御部とを備える。前記記録ヘッドは、インク吐出面を有し、記録媒体に画像を形成する際に前記インク吐出面からインクを吐出する。前記インク供給タンクは、前記インクを貯留する。前記インク供給機構は、前記インク供給タンクから前記記録ヘッドへ前記インクを供給する。前記計測部は、前記インク供給機構が前記記録ヘッドに供給する前記インクの量を計測する。前記記憶部は、前記記録ヘッドに充填されている保存液の量を記憶する。前記制御部は、前記計測部の計測値と前記保存液の量とに基づいて前記インク供給機構に前記インクを供給させ、前記保存液を前記インク吐出面から排出させる。
【発明の効果】
【０００９】
本発明によれば、記録ヘッドに保存液が残存し難くなる。
【図面の簡単な説明】
【００１０】
【図１】本発明の実施形態１に係るインクジェット記録装置の斜視図である。
【図２】本発明の実施形態１に係るインクジェット記録装置の構成を示す図である。
【図３】本発明の実施形態１に係るインクジェット記録装置の構成を示す図である。
【図４】本発明の実施形態１に係る記録部及びその近傍の構成を示す斜視図である。
【図５】本発明の実施形態１に係るインク供給機構、及び記録ヘッドを示す斜視図である。
【図６】本発明の実施形態１に係る記録ヘッド、及びインク供給機構の構成を示す図である。
【図７】液抜きモードにおける記録ヘッド、及びインク供給機構の状態を示す図である。
【図８】循環モードにおける記録ヘッド、及びインク供給機構の状態を示す図である。
【図９】（ａ）は、正圧モードにおける記録ヘッド、及びインク供給機構の状態を示す図である。（ｂ）は、負圧モードにおける記録ヘッド、及びインク供給機構の状態を示す図である。
【図１０】本発明の実施形態１に係るインクジェット記録装置の構成を示すブロック図である。
【図１１】本発明の実施形態１に係るインクジェット記録装置が保存液を排出する際の動作を示すフローチャートである。
【図１２】本発明の実施形態１に係るインクジェット記録装置が保存液を排出する際の動作を示すフローチャートである。
【図１３】（ａ）は第１画面を示す図である。（ｂ）は第２画面を示す図である。（ｃ）は第３画面を示す図である。（ｄ）は第４画面を示す図である。
【図１４】本発明の実施形態２に係るインクジェット記録装置の構成を示すブロック図である。
【図１５】本発明の実施形態２に係るインクジェット記録装置が保存液を排出する際の動作を示すフローチャートである。
【図１６】本発明の実施形態２に係るインクジェット記録装置が保存液を排出する際の動作を示すフローチャートである。
【発明を実施するための形態】
【００１１】
以下、図面を参照して、本発明に係るインクジェット記録装置１の実施形態について説明する。なお、図中、同一又は相当部分については同一の参照符号を付して説明を繰り返さない。また、本実施形態では、図中に、互いに直交する上下方向、左右方向、及び前後方向を示す。上下方向は鉛直面に平行であり、左右方向、及び前後方向は水平面に平行である。
【００１２】
（実施形態１）
図１から図１３を参照して、本発明の実施形態１について説明する。まず、図１から図３を参照して、本実施形態に係るインクジェット記録装置１の構成について説明する。図１は、本実施形態に係るインクジェット記録装置１の斜視図である。本実施形態に係るインクジェット記録装置１は、インクジェット捺染を行う捺染装置である。捺染装置は、布に所定の画像を形成する。なお、布は、記録媒体の一例である。
【００１３】
図１に示すように、インクジェット記録装置１は、装置フレーム１０１と、外装カバー１０２と、タッチパネル１０３とを備える。外装カバー１０２は、装置フレーム１０１を覆う。
【００１４】
タッチパネル１０３は、ユーザーに対するメッセージを表示する。タッチパネル１０３は、インクジェット記録装置１に対するユーザーからの指示を受け付ける。タッチパネル１０３は、ディスプレー１０３ａ、及びタッチセンサーを有する。ディスプレー１０３ａは、ユーザーに対する所定のメッセージを表示する。ディスプレー１０３ａは、例えば、液晶ディスプレーである。ディスプレー１０３ａは表示部の一例である。タッチセンサーはユーザーからの指示を受け付ける。
【００１５】
図２は、本実施形態に係るインクジェット記録装置１の構成を示す図である。詳しくは、図２は、図１に示すＩＩ−ＩＩ線方向に沿った断面図である。
【００１６】
図２に示すように、インクジェット記録装置１は、記録部２と、巻出部１０４と、搬送機構１１と、巻取部１０５と、テンションローラー１０６とを有する。
【００１７】
記録部２は、インクを吐出することにより布に所定の画像を形成する。記録部２は、キャリッジ２０と、記録ヘッド２１とを有する。キャリッジ２０については、図３を参照して後述する。本実施形態において、記録部２は、２つの記録ヘッド２１を有する。２つの記録ヘッド２１は、キャリッジ２０に搭載される。以下、２つの記録ヘッド２１をそれぞれ区別して説明する必要がない場合「記録ヘッド２１」と記載して実施形態を説明する。
【００１８】
記録ヘッド２１は、インクを吐出する。詳しくは、記録ヘッド２１は、インク吐出面２２を有する。インクはインク吐出面２２から吐出される。
【００１９】
巻出部１０４には、送り出しロールＷａが取付けられる。巻出部１０４は、送り出しロールＷａに巻き重ねられた長尺の布Ｗを順次巻き出す。送り出しロールＷａは、画像形成前の布Ｗを心棒に巻いた巻回体である。
【００２０】
搬送機構１１は、巻出部１０４から巻き出された布Ｗを搬送方向Ｈに沿って搬送する。搬送機構１１は、搬送駆動部、プラテン１２、搬送ローラー１３、及びピンチローラーユニット１４を有する。搬送駆動部は、例えば、モーターを有する。
【００２１】
プラテン１２は、巻出部１０４から巻き出された布Ｗを支持する。搬送ローラー１３は、搬送駆動部から駆動力が伝達されて回転する。搬送ローラー１３は、左右方向に延びる長尺のローラーである。ピンチローラーユニット１４は、複数のピンチローラー１４１を有する。複数のピンチローラー１４１は、左右方向に沿って等間隔に配置される（図３参照）。各ピンチローラー１４１は、搬送ローラー１３と対向して配置され、搬送ローラー１３との間に布Ｗを挟持する。布Ｗは、搬送ローラー１３と、複数のピンチローラー１４１とに挟持され、プラテン１２に支持されて搬送される。
【００２２】
巻取部１０５は、搬送機構１１から搬送された布Ｗを巻き取る。以下、巻取部１０５によって巻き取られた布Ｗを「巻き取りロールＷｂ」と記載する。巻き取りロールＷｂは、画像形成後の布Ｗを心棒に巻いた巻回体である。
【００２３】
テンションローラー１０６は、布Ｗが撓まないように、布Ｗに張力を与える。テンションローラー１０６は、搬送機構１１と、巻取部１０５との間に位置する。
【００２４】
図３は、本実施形態に係るインクジェット記録装置１の構成を示す図である。詳しくは、図３は、図１に示す外装カバー１０２を外したインクジェット記録装置１を正面から見た図である。なお、図３において、インクジェット記録装置１は、画像を形成していない状態を示す。
【００２５】
図３に示すように、装置フレーム１０１は、第１フレーム１０７と、第２フレーム１０８と、キャリッジガイド１０９とを有する。第１フレーム１０７と第２フレーム１０８とは、左右方向（左右方向）において対向する。第１フレーム１０７は、インクジェット記録装置１の右側に配置される。第２フレーム１０８は、インクジェット記録装置１の左側に配置される。キャリッジガイド１０９は、第１フレーム１０７と第２フレーム１０８とを貫通する。キャリッジガイド１０９は、左右方向に延びる。キャリッジガイド１０９は、図２を参照して説明したキャリッジ２０を移動自在に支持する。換言すると、キャリッジ２０及び記録ヘッド２１は、キャリッジガイド１０９に沿って移動自在である。
【００２６】
また、インクジェット記録装置１は、キャリッジ駆動機構４を備える。キャリッジ駆動機構４は、例えばモーターを有する。キャリッジ２０は、キャリッジ駆動機構４が駆動することにより、キャリッジガイド１０９に沿って移動する。
【００２７】
図２を参照して説明したプラテン１２は、第１フレーム１０７と第２フレーム１０８との間に配置される。したがって、布Ｗは、第１フレーム１０７と第２フレーム１０８との間において、図２を参照して説明した搬送機構１１によって搬送される。換言すると、インクジェット記録装置１は、第１フレーム１０７と第２フレーム１０８との間の領域でのみ、布Ｗに画像を形成できる。以下、第１フレーム１０７と第２フレーム１０８との間の領域を「画像形成エリアＰ」と記載する。また、インクジェット記録装置１には、メンテナンスエリアＭが設けられる。インクジェット記録装置１は、メンテナンスエリアＭにおいて、メンテナンスが施される。メンテナンスは、例えば、クリーニング動作、パージ動作を含む。
【００２８】
次に、図４を参照して、本実施形態に係る記録部２及びその近傍の構成について説明する。図４は、本実施形態に係る記録部２及びその近傍の構成を示す斜視図である。詳しくは、図４は、記録部２及びその近傍を右斜め前側から見た図である。
【００２９】
図４に示すように、インクジェット記録装置１は、インク供給機構３を更に備える。図２を参照して説明した記録ヘッド２１と、インク供給機構３とは、キャリッジ２０に搭載される。
【００３０】
インク供給機構３は、記録ヘッド２１にインクを供給する。インク供給機構３は、インクに正圧、又は負圧を加える。インク供給機構３の数は、記録ヘッド２１の数に対応している。本実施形態において、インクジェット記録装置１は、８つのインク供給機構３を備える。
【００３１】
インク供給機構３は、本体部３０を有する。本体部３０は、タンク部３１と、ポンプ部３２とを有する。タンク部３１と、ポンプ部３２とは、本体部３０に配置される。タンク部３１については、図６を参照して後述する。ポンプ部３２については、図５を参照して後述する。
【００３２】
インクジェット記録装置１は、駆動機構９を備える。駆動機構９は、カム軸９１と、駆動モーターと、駆動力伝達部とを有する。カム軸９１は、ポンプ部３２に駆動力を伝達する。カム軸９１は、回転自在である。カム軸９１は、左右方向に延びる。駆動モーターは正逆回転可能なモーターである。駆動力伝達部は、駆動モーターの駆動力をカム軸９１に伝達する。したがって、カム軸９１は、駆動モーターの回転方向に応じて回転方向が変わる。また、カム軸９１は、駆動モーターの回転速度に応じて回転速度が変わる。
【００３３】
次に、図５を参照して、記録ヘッド２１及びインク供給機構３の構成について説明する。図５は、本実施形態に係るインク供給機構３及び記録ヘッド２１の構成を示す斜視図である。詳しくは、８つのインク供給機構３のうちの１つと、２つの記録ヘッド２１のうちの１つとを示す。
【００３４】
図５に示すように、インクジェット記録装置１は、インク供給タンク２００を備える。インク供給タンク２００はインクを貯留する。
【００３５】
記録ヘッド２１は、インク吐出面２２に加え、制御ユニット部２３と、エンドチューブ２４と、回収チューブ２５とを有する。制御ユニット部２３は、インク吐出面２２からのインクの吐出動作を制御する。エンドチューブ２４は、インク供給機構３の上流管３４の下流端３４２とインク吐出面２２とを連通する。回収チューブ２５は、インク吐出面２２とインク供給機構３の下流管３５の上流端３５１とを連通する。
【００３６】
インク供給機構３は、インク供給タンク２００から記録ヘッド２１へインクを供給する。インク供給機構３は、本体部３０に加え、インク供給管３３と、上流管３４と、下流管３５と、直行管３６と、バイパス管３７と、検知部５３と、第１開閉センサー５５と、第２開閉センサー５６とを有する。
【００３７】
本体部３０のポンプ部３２は、インクに正圧、又は負圧を加える。ポンプ部３２は、筐体３２０と、カム軸挿通孔３２１とを有する。カム軸挿通孔３２１は、筐体３２０に形成される。カム軸挿通孔３２１には、図４を参照して説明したカム軸９１が挿通される。本実施形態において、ポンプ部３２は、チューブポンプを有する。チューブポンプは、筐体３２０の内部に配置される。
【００３８】
チューブポンプは、偏心カム、及びしごきチューブを有する。偏心カムは軸孔を有する。軸孔はカム軸挿通孔３２１と対向する。カム軸９１には、ポンプ部３２の偏心カムが取り付けられる。
【００３９】
偏心カムは、カム軸９１が回転することにより回転する。偏心カムは、カム軸９１の回転方向に応じて回転方向が変わる。偏心カムの回転方向が変わると、チューブポンプ（しごきチューブ）内の圧力の方向が変わる。また、偏心カムは、カム軸９１の回転速度に応じて回転速度が変わる。偏心カムの回転速度が変わると、チューブポンプ（しごきチューブ）内の圧力の大きさが変わる。
【００４０】
インク供給管３３は、タンク部３１とインク供給タンク２００とを連通する。
【００４１】
上流管３４は、タンク部３１から記録ヘッド２１にインクを供給する。上流管３４は、タンク部３１と記録ヘッド２１とを連通する。上流管３４の上流端は、タンク部３１に接続する。上流管３４は、第１分岐部３４１で直行管３６と分岐する。上流管３４の下流端３４２は、記録ヘッド２１のエンドチューブ２４に接続する。
【００４２】
下流管３５は、記録ヘッド２１からタンク部３１にインクを還流する。下流管３５は、タンク部３１と記録ヘッド２１とを連通する。下流管３５の上流端３５１は、記録ヘッド２１の回収チューブ２５に接続する。下流管３５は、第２分岐部３５２で直行管３６と分岐する。下流管３５の下流端は、タンク部３１に接続する。下流管３５には、第２弁３５３が設けられる。第２弁３５３は、第２分岐部３５２のインク流路下流側に設けられる。第２弁は下流管３５を開閉する。第２弁３５３は手動弁である。
【００４３】
直行管３６は、記録ヘッド２１を経由せずに、インクを上流管３４から下流管３５に直行させる。直行管３６は、第１分岐部３４１と第２分岐部３５２とを連通する。直行管３６は、第１弁３６１が設けられる。第１弁３６１は、直行管３６を開閉する。第１弁３６１は手動弁である。
【００４４】
バイパス管３７は、ポンプ部３２を経由して、インクを上流管３４に送る。バイパス管３７は、バイパス上流管３７１、及びバイパス下流管３７２を有する。バイパス上流管３７１は、インク流路においてポンプ部３２の上流側に配置される。バイパス下流管３７２は、インク流路においてポンプ部３２の下流側に配置される。換言すると、ポンプ部３２は、バイパス管３７の途中に配置される。
【００４５】
インクジェット記録装置１は計測部５１を備える。本実施形態において、計測部５１は複数である。複数の計測部５１は、各インク供給機構３が対応する記録ヘッド２１に供給するインクの量を計測し、計測結果を示す信号を出力する。計測部５１は、インク流路において第１分岐部３４１よりも上流側に設けられる。
【００４６】
検知部５３は、記録ヘッド２１のインク供給機構３への着脱を検知する。検知部５３は、第１検知部５３１と、第２検知部５３２とを有する。
【００４７】
第１検知部５３１は、上流管３４の下流端３４２と記録ヘッド２１との着脱を検知し、検知結果を示す信号を出力する。第１検知部５３１は、例えば、透過型センサーである。
【００４８】
第２検知部５３２は、下流管３５の上流端３５１と記録ヘッド２１との着脱を検知し、検知結果を示す信号を出力する。第２検知部５３２は、例えば、透過型センサーである。
【００４９】
第１開閉センサー５５は、第１弁３６１の開閉を検知し、検知結果を示す信号を出力する。第１開閉センサー５５は、例えば、磁気センサーである。
【００５０】
第２開閉センサー５６は、第２弁３５３の開閉を検知し、検知結果を示す信号を出力する。第２開閉センサー５６は、例えば、磁気センサーである。
【００５１】
次に、図６から図９を参照して、記録ヘッド２１、及びインク供給機構３について更に説明する。まず、図６を参照して、記録ヘッド２１、及びインク供給機構３の構成について説明する。図６は、記録ヘッド２１、及びインク供給機構３の構成を示す図である。
【００５２】
インク供給機構３は、インク供給タンク２００と記録ヘッド２１との間に存在する。
【００５３】
本実施形態において、インク供給タンク２００は、記録ヘッド２１、及びインク供給機構３よりも上側に配置される。詳しくは、インク供給タンク２００は、記録ヘッド２１、及びインク供給機構３よりも高さｈだけ高い位置に配置される。具体的には、インク供給タンク２００は、インク吐出面２２よりも高さｈだけ高い位置に配置されている。高さｈは水頭差となる。水頭差によって、インク供給タンク２００のインクがインク供給機構３に供給される。
【００５４】
インク供給機構３のタンク部３１は、第１室３１１と、第２室３１２とを有する。
【００５５】
第１室３１１は、インクを正圧下で一時的に貯留する。第１室３１１は、負圧は加えられておらず、大気圧に加えて水頭差による圧力が加えられている。第１室３１１は、インク供給管３３を介してインク供給タンク２００と連通する。
【００５６】
第２室３１２は、インクを負圧下で一時的に貯留する。第２室３１２は、第１室３１１に対してインク流路の下流側に配置される。第２室３１２は、負圧が加えられている。第２室３１２は、上流管３４を介して、記録ヘッド２１（インク吐出面２２）と連通する。
【００５７】
第１室３１１と第２室３１２とは、壁面により区画されている。壁面には、開閉バルブ３１３が配置されている。開閉バルブ３１３は、開放状態と閉鎖状態との２つの状態の間を遷移する。開放状態は、開閉バルブ３１３が開放された状態である。開放状態において、インクは第１室３１１から第２室３１２に流入できる。閉鎖状態は、開閉バルブ３１３が閉鎖された状態である。閉鎖状態において、第１室３１１から第２室３１２へのインクの流入が停止される。
【００５８】
開閉バルブ３１３は、押圧部材３１４に連結されている。押圧部材３１４に力が加えられると、開閉バルブ３１３は閉鎖状態から開放状態に遷移する。反対に、押圧部材３１４に力が加えられなくなると、開閉バルブ３１３は開放状態から閉鎖状態に遷移する。
【００５９】
第２室３１２の一部は、大気圧検知フィルム３１５によって構成されている。大気圧検知フィルム３１５は、可撓性フィルムである。したがって、第２室３１２内が所定の閾値を超える負圧になると、大気圧検知フィルム３１５は変形する。大気圧検知フィルム３１５が変形すると、変形による変形力が押圧部材３１４に加えられる。この結果、開閉バルブ３１３が開放状態に遷移する。
【００６０】
インクは、インク供給機構３が有する２つの経路を介して、インク供給タンク２００から記録ヘッド２１に供給される。１つの経路は、インク供給管３３と、第１室３１１と、第２室３１２と、上流管３４とを経由する経路である。他の経路は、インク供給管３３と、第１室３１１と、バイパス管３７と、上流管３４とを経由する経路である。インクは、下流管３５を経由して、記録ヘッド２１から第１室３１１に還流する。
【００６１】
次に、図６、図７、図８、図９（ａ）、及び図９（ｂ）を参照して、本実施形態に係るインク供給機構３の動作について説明する。図６は、画像形成モードにおける記録ヘッド２１とインク供給機構３との状態を示す。なお、図９（ａ）、及び図９（ｂ）では、インク供給タンク２００を省略している。
【００６２】
インク供給機構３は、５つのモードを有し、各モードを遷移しながら動作する。具体的には、インク供給機構３は、画像形成モード、液抜きモード、循環モード、正圧モード、及び負圧モードを有する。インク供給機構３は、動作中、画像形成モード、液抜きモード、循環モード、正圧モード、及び負圧モードの間を遷移する。
【００６３】
画像形成モードでは、記録ヘッド２１が布Ｗに画像を形成する。
【００６４】
なお、画像形成モードが開始するまで、インク供給機構３は、負圧モードにある。したがって、第２室３１２は所定の負圧が加えられている。このため、上流管３４及びインク吐出面２２に、負圧が加えられている。また、画像形成モードが開始するまで、開閉バルブ３１３は閉鎖状態である。
【００６５】
図６に示すように、第１弁３６１、及び第２弁３５３は閉鎖している。画像形成モードにおいて、第１室３１１、及び第２室３１２には、インクが所定量充填されている。また、ポンプ部３２は停止している。インクは、第２室３１２から上流管３４を介して記録ヘッド２１に流入する。第２室３１２は、大気と隔離されている。したがって、第２室３１２内のインクの減少にともなって、第２室３１２の負圧は高くなる。
【００６６】
第２室３１２の負圧が所定の閾値を超えると、大気圧検知フィルム３１５が大気圧により変形する。大気圧検知フィルム３１５が変形すると、変形による変形力が押圧部材３１４に加えられる。変形力が押圧部材３１４に加えられると、開閉バルブ３１３が閉鎖状態から開放状態に遷移する。開閉バルブ３１３が閉鎖状態から開放状態に遷移すると、インクが第１室３１１から第２室３１２に流入する。
【００６７】
第２室３１２にインクが流入すると、第２室３１２の負圧は徐々に低くなり、大気圧に近づく。第２室３１２が大気圧に近づけば、大気圧検知フィルム３１５の変形も徐々に減る。大気圧検知フィルム３１５の変形が減ると、押圧部材３１４に加えられる変形力も徐々に減る。第２室３１２の負圧が所定の閾値を下回ると、開閉バルブ３１３が開放状態から閉鎖状態に遷移する。これにより、第１室３１１から第２室３１２へのインクの流入は停止する。
【００６８】
インクは、第１室３１１から第２室３１２へ流入した分だけ、インク供給タンク２００から第１室３１１に補充される。画像形成モードでは、このような動作が繰り返される。
【００６９】
次に、図７を参照して、液抜きモードについて説明する。図７は、液抜きモードにおける記録ヘッド２１と、インク供給機構３との状態を示す図である。液抜きモードでは、インク供給機構３が、記録ヘッド２１に充填されている保存液を記録ヘッド２１から排出させる。
【００７０】
液抜きモードにおいて、第１弁３６１は開放され、第２弁３５３は閉鎖されている。ポンプ部３２は駆動機構９により正転駆動される。液抜きモードにおいて、インクは、インク供給管３３と、第１室３１１と、バイパス上流管３７１とを経由して、ポンプ部３２に流入する。その後、インクは、バイパス下流管３７２を経由して、第１分岐部３４１で分岐し、上流管３４と、直行管３６とに流入する。上流管３４に流入したインクは、記録ヘッド２１に流入する。また、直行管３６に流入したインクは、第１弁３６１と、下流管３５とを経由して、記録ヘッド２１に流入する。記録ヘッド２１に流入したインクは、保存液を記録ヘッド２１から押し出す。
【００７１】
次に、図８を参照して、循環モードについて説明する。図８は、循環モードにおける記録ヘッド２１と、インク供給機構３との状態を示す図である。循環モードでは、インクを循環させて、記録ヘッド２１内に抱き込まれている空気を除去する。
【００７２】
循環モードにおいて、第１弁３６１は閉鎖され、第２弁３５３は開放されている。ポンプ部３２は駆動機構９により正転駆動される。ポンプ部３２が正転駆動すると、インクは、インク供給管３３と、第１室３１１と、バイパス上流管３７１とを経由して、ポンプ部３２に流入する。その後、インクは、バイパス下流管３７２を経由して、上流管３４に流入する。上流管３４に流入したインクの一部は、インクに抱き込まれている空気とともに、インク吐出面２２から吐出される。インク吐出面２２で吐出されなかったインクは、下流管３５を経由して、第１室３１１に還流する。第１室３１１に還流したインクは、インク供給管３３から新たに供給されたインクとともに、バイパス上流管３７１と、ポンプ部３２と、バイパス下流管３７２と、上流管３４とを経由して、記録ヘッド２１に流入する。
【００７３】
次に、図９（ａ）を参照して、正圧モードについて説明する。図９（ａ）は、正圧モードにおける記録ヘッド２１と、インク供給機構３との状態を示す図である。正圧モードでは、インクに正圧が加えられる。これにより、パージ動作が実行されて、インク吐出面２２が清浄化される。
【００７４】
正圧モードにおいて、第１弁３６１、及び第２弁３５３は閉鎖されている。ポンプ部３２は駆動機構９により正転駆動される。ポンプ部３２が正転駆動すると、インクは、第２室３１２を迂回して、インク供給管３３と、第１室３１１と、バイパス管３７とを経て、上流管３４へ向けて流れる。換言すると、ポンプ部３２で加圧されたインクは、記録ヘッド２１に供給されて、インク吐出面２２から吐出される。即ち、パージ動作が実行されて、インク吐出面２２が清浄化される。
【００７５】
なお、正圧モードにおいては、加圧されたインクが、上流管３４を通して第２室３１２に逆流し、大気圧検知フィルム３１５を破損する可能性がある。インクの逆流を防止するために、インク供給機構３は、逆流防止機構３８を有する。逆流防止機構３８は、上流管３４に配置されている。具体的には、逆流防止機構３８は、上流管３４とバイパス管３７の下流端との合流部３９よりもインク流路上流側に配置されている。この結果、逆流防止機構３８は、上流管３４の合流部３９よりも上流側を閉止し、ポンプ部３２で加圧されたインクは全てインク吐出面２２に向かう。したがって、大気圧検知フィルム３１５の破損が防止される。
【００７６】
次に、図９（ｂ）を参照して、負圧モードについて説明する。図９（ａ）は、負圧モードにおける記録ヘッド２１と、インク供給機構３との状態を示す図である。負圧モードでは、インクに負圧が加えられる。これにより、インク吐出面２２からインクが漏れ落ちることが抑制される。
【００７７】
負圧モードにおいて、第１弁３６１、及び第２弁３５３は閉鎖されている。ポンプ部３２は逆転駆動される。ポンプ部３２が逆転駆動されると、上流管３４及びバイパス管３７を介して、インク吐出面２２及び第２室３１２に所定の負圧が加えられる。具体的には、所定の負圧は、インクを水頭差供給する場合でもインク吐出面２２からインクが漏れ落ちない程度の負圧である。より具体的には、所定の負圧は、−０．２〜−０．７ｋＰａ程度の弱い負圧である。
【００７８】
次に、図１０を参照して、本実施形態に係るインクジェット記録装置１の構成について更に説明する。図１０は、インクジェット記録装置１の構成を示すブロック図である。
【００７９】
インクジェット記録装置１は、記憶部６と、制御部７とを更に備える。
【００８０】
記憶部６は、制御プログラムと、設定情報などの各種情報とを記憶する。記憶部６は、ストレージデバイス及び半導体メモリーによって構成される。ストレージデバイスは、例えば、ＨＤＤ（Ｈａｒｄ  Ｄｉｓｋ  Ｄｒｉｖｅ）及び／又はＳＳＤ（Ｓｏｌｉｄ  Ｓｔａｔｅ  Ｄｒｉｖｅ）によって構成される。半導体メモリーは、例えば、ＲＡＭ（Ｒａｎｄｏｍ  Ａｃｃｅｓｓ  Ｍｅｍｏｒｙ）及びＲＯＭ（Ｒｅａｄ  Ｏｎｌｙ  Ｍｅｍｏｒｙ）を構成する。
【００８１】
記憶部６は、充填量データ６１と、所定量データ６２と、開閉データ６３とを記憶する。充填量データ６１は、記録ヘッド２１に充填されている保存液の量を示す。本実施形態において、充填量データ６１は、液抜きモードにおいて、保存液の排出完了までに必要なインク量（充填量）を示す。所定量６２データは、循環モードにおいて、空気の排出完了までに必要なインク量（所定量）を示す。開閉データ６３は、各モードにおける第１弁３６１の開閉状態を示す。詳しくは、画像形成モード、液抜きモード、循環モード、正圧モード、及び負圧モードにおける第１弁３６１の開閉状態を示す。詳しくは、画像形成モード、液抜きモード、循環モード、正圧モード、及び負圧モードにおける第２弁３５３の開閉状態を示す。充填量データ６１、所定量データ６２、及び開閉データ６３は、記録ヘッド２１の種類、及びインクの種類に応じて、工場出荷時に記憶部６に設定する。なお、充填量データ６１、及び所定量データ６２は、サービスマン、又はユーザーが再設定してもよい。
【００８２】
制御部７は、制御プログラムを実行することにより、インクジェット記録装置１の各部の動作を制御する。制御部７は、ＣＰＵ（Ｃｅｎｔｒａｌ  Ｐｒｏｃｅｓｓｉｎｇ  Ｕｎｉｔ）のようなプロセッサーによって構成される。また、制御部７は、画像形成処理用の集積回路を備える。画像形成処理用の集積回路は、例えば、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）によって構成される。
【００８３】
制御部７は、第１検知部５３１、及び第２検知部５３２の各々から出力される信号に基づいて、記録ヘッド２１がインク供給機構３へ取付けられているか否かを判定する。取り付けられていないと判定した場合、制御部７は取り付け不良を示すメッセージをディスプレー１０３ａに表示させる。
【００８４】
なお、記録ヘッド２１に取り付けられるインク供給機構３が複数ある場合、制御部７は、全てのインク供給機構３が取付けられているか否かを判定する。少なくとも１つのインク供給機構３が取付けられていないと判定した場合、制御部７は、取り付け不良を示すメッセージをディスプレー１０３ａに表示させる。
【００８５】
制御部７は、第１開閉センサー５５から出力される信号に基づいて、第１弁３６１が開閉しているか否かを判定する。制御部７は、第１弁３６１の開閉状態と、開閉データ６３とが同一であるか否かを判定する。制御部７は、第２開閉センサー５６から出力される信号に基づいて、第２弁３５３が開閉しているか否かを判定する。制御部７は、第２弁３５３の開閉状態と、開閉データ６３とが同一であるか否かを判定する。制御部７は、第１弁３６１、及び第２弁３５３の開閉状態と、開閉データ６３とが同一ではない場合、開閉不良を示すメッセージをディスプレー１０３ａに表示させる。
【００８６】
制御部７は、計測部５１から出力される信号に基づいて、計測部５１が計測したインク量が充填量を超えるまで、記録ヘッド２１にインクを供給するようにインク供給機構３を制御する。制御部７は、計測部５１から出力される信号に基づいて、計測部５１が計測したインク量が所定量を超えるまで、記録ヘッド２１にインクを供給するようにインク供給機構３を制御する。
【００８７】
なお、インクジェット記録装置１が、複数のインク供給タンク２００と、複数のインク供給機構３を備えている場合がある。この場合、各インク供給機構３がインクに加える圧力の大きさを調整し、各インク供給機構３が記録ヘッド２１に供給するインク量が均一になるように調整する。
【００８８】
具体的には、制御部７は、複数の計測部５１の各々の計測値に基づいて、インク供給機構３の各々が単位時間当たりに供給するインクの量を示すインク流量を算出する。制御部７は、算出したインク流量に基づいて、インク流量が最も高いインク供給機構３を選択する。制御部７は、選択されたインク供給機構３と同じインク流量となるように、選択されなかったインク供給機構３に加えられる正圧の大きさを制御する。
【００８９】
制御部７は、インクに正圧を加えて保存液を排出した後、インクに負圧を加えるようにインク供給機構３を制御する。
【００９０】
続いて、図１１及び図１２を参照して、インクジェット記録装置１が記録ヘッド２１に充填されている保存液を排出する際の動作を説明する。図１１、及び図１２は、本実施形態に係るインクジェット記録装置１が保存液を排出する際の動作を示すフローチャートである。図１１及び図１２に示す動作は、ユーザーが記録ヘッド２１を交換することによって開始する。
【００９１】
ステップＳ１０１において、全てのインク供給機構３が記録ヘッド２１に取り付けられているか否かを制御部７が判定する。インク供給機構３が記録ヘッド２１に全て取り付けられていると制御部７が判定した場合（ステップＳ１０１のＹｅｓ）は、動作はステップＳ１０２に進む。少なくとも１つのインク供給機構３が記録ヘッド２１は取り付けられていないと制御部７が判定した場合（ステップＳ１０１のＮｏ）は、動作はステップＳ１１１に進む。
【００９２】
本実施形態において、ユーザーが、第１弁３６１を開放し、第２弁３５３を閉鎖する。
【００９３】
ステップＳ１０２において、制御部７は、第１弁３６１及び第２弁３５３の開閉状態と、液抜きモードにおける第１弁３６１及び第２弁３５３の開閉状態とが同一であるか否かを判定する。詳しくは、制御部７は、第１開閉センサー５５から出力される信号に基づいて、第１弁３６１が開放されているか否かを判定する。制御部７は、第２開閉センサー５６から出力される信号に基づいて、第２弁３５３が閉鎖されているか否かを判定する。なお、図７を参照して説明したように、第１弁３６１が開放され、第２弁３５３が閉鎖されているのは、液抜きモードにおける弁の開閉状態である。本実施形態において、液抜きモードにおける第１弁３６１及び第２弁３５３の開閉状態と同一であると制御部７が判定した場合（ステップＳ１０２のＹｅｓ）は、動作はステップＳ１０３に進む。液抜きモードにおける第１弁３６１及び第２弁３５３の開閉状態と同一でないと制御部７が判定した場合（ステップＳ１０２のＮｏ）は、動作はステップＳ１１２に進む。
【００９４】
ステップＳ１０３において、制御部７は、インクに正圧を加えることを開始するようにインク供給機構３を制御する。インク供給機構３がインクに正圧を加えることを開始すると、記録ヘッド２１へのインク供給が開始する。インク供給が記録ヘッド２１に供給されると、保存液の排出が開始する。その結果、図７を参照して説明した液抜きモードが開始する。動作はステップＳ１０４に進む。
【００９５】
ステップＳ１０４において、計測部５１の計測結果に基づいて、制御部７は、インク供給量が保存液の充填量よりも大きくなったか否かを判定する。インク供給量が充填量よりも大きくなったと制御部７が判定した場合（ステップＳ１０４のＹｅｓ）は、動作は図１２のステップＳ１０５に進む。インク供給量が充填量よりも大きくなっていないと制御部７が判定した場合（ステップＳ１０４のＮｏ）は、動作はステップＳ１０４に進む。インク供給量が充填量よりも大きくなるまで、制御部７はステップＳ１０４を繰り返す。
【００９６】
ステップＳ１０５において、制御部７は、インクに正圧を加えることを停止するようにインク供給機構３を制御する。保存液の排出が完了し、液抜きモードが完了する。
【００９７】
本実施形態において、ユーザーが、第１弁３６１を閉鎖し、第２弁３５３を開放する。
【００９８】
ステップＳ１０６において、制御部７は、第１弁３６１及び第２弁３５３の開閉状態と、記憶部６が記憶する循環モードにおける第１弁３６１及び第２弁３５３の開閉状態とが同一であるか否かを判定する。詳しくは、制御部７は、第１開閉センサー５５から出力される信号に基づいて、第１弁３６１が閉鎖されているか否かを判定する。制御部７は、第２開閉センサー５６から出力される信号に基づいて、第２弁３５３が開放されているか否かを判定する。なお、図８を参照して説明したように、第１弁３６１が閉鎖され、第２弁３５３が開放されているのは、循環モードにおける弁の開閉状態である。本実施形態において、循環モードにおける第１弁３６１及び第２弁３５３の開閉状態と同一であると制御部７が判定した場合（ステップＳ１０６のＹｅｓ）は、動作はステップＳ１０７に進む。循環モードにおける第１弁３６１及び第２弁３５３の開閉状態と同一でないと制御部７が判定した場合（ステップＳ１０６のＮｏ）は、動作はステップＳ１１３に進む。
【００９９】
ステップＳ１０７において、制御部７は、インクに正圧を加えることを開始するようにインク供給機構３を制御する。インクに正圧を加えると、記録ヘッド２１へのインク供給が開始される。インクの供給が開始すると、供給されたインクとともに空気の排出が開始され、図８に示す空気抜きモードが開始する。動作はステップＳ１０８に進む。
【０１００】
ステップＳ１０８において、インク供給量が所定量よりも大きくなったか否かを制御部７が判定する。インク供給量が所定量よりも大きくなったと制御部７が判定した場合（ステップＳ１０８のＹｅｓ）は、動作はステップＳ１０９に進む。インク供給量が所定量よりも大きくなっていないと制御部７が判定した場合（ステップＳ１０８のＮｏ）は、動作はステップＳ１０８に進む。インク供給量が充填量よりも大きくなるまで、制御部７はステップＳ１０８を繰り返す。
【０１０１】
本実施形態において、ユーザーが、第２弁３５３を閉鎖する。
【０１０２】
ステップＳ１０９において、制御部７は、第１弁３６１及び第２弁３５３の開閉状態と、負圧モードにおける第１弁３６１及び第２弁３５３の開閉状態とが同一であるか否かを判定する。詳しくは、制御部７は、第１開閉センサー５５が出力した信号に基づいて、第１弁３６１が閉鎖されているか否かを判定する。制御部７は、第２開閉センサー５６が出力した信号に基づいて、第２弁３５３が閉鎖されているか否かを判定する。なお、図９（ｂ）を参照して説明したように、第１弁３６１、及び第２弁３５３が閉鎖されているのは、負圧モードにおける弁の開閉状態である。負圧モードにおける第１弁３６１及び第２弁３５３の開閉状態と同一であると制御部７が判定した場合（ステップＳ１０９のＹｅｓ）は、動作はステップＳ１１０に進む。負圧モードにおける第１弁３６１及び第２弁３５３の開閉状態と同一でないと制御部７が判定した場合（ステップＳ１０９のＮｏ）は、動作はステップＳ１１４に進む。
【０１０３】
ステップＳ１１０において、制御部７は、インク供給機構３にインクに正圧を加えることを停止して、インクに負圧を加えることを開始するようにインク供給機構３を制御する。これにより、負圧モードが開始し、インク供給機構３の記録ヘッド２１への取付けが完了する。
【０１０４】
ステップＳ１１１において、制御部７は、第１画面を表示するようにディスプレー１０３ａを制御する。第１画面の詳細については、図１３（ａ）を参照して後述する。
【０１０５】
ステップＳ１１２において、制御部７は、第２画面を表示するようにディスプレー１０３ａを制御する。第２画面の詳細については、図１３（ｂ）を参照して後述する。
【０１０６】
ステップＳ１１３において、制御部７は、第３画面を表示するようにディスプレー１０３ａを制御する。第３画面の詳細については、図１３（ｃ）を参照して後述する。
【０１０７】
ステップＳ１１４において、制御部７は、第４画面を表示するようにディスプレー１０３ａを制御する。第４画面の詳細については、図１３（ｄ）を参照して後述する。
【０１０８】
図１３を参照して、インクジェット記録装置１のディスプレー１０３ａに表示される画面について説明する。図１３（ａ）は、第１画面Ｇ１を示す図である。第１画面Ｇ１は、ユーザーにインク供給機構３と記録ヘッド２１との接続が不完全であることを警告する画面である。第１画面Ｇ１は、第１メッセージＭ１を表示する。図１３（ａ）に示す例において、第１メッセージＭ１は、「シアン色のインク供給機構と、記録ヘッドとが完全に接続されていません。接続をご確認下さい。」である。
【０１０９】
図１３（ｂ）は第２画面Ｇ２を示す図である。第２画面Ｇ２は、第１弁３６１、及び第２弁３５３の開閉状態を液抜きモードに合わせるようユーザーに通知する画面である。第２画面Ｇ２は、第２メッセージＭ２を表示する。図１３（ｂ）に示す例において、第２メッセージＭ２は、「シアン色の第１弁を開放して、第２弁を閉鎖して下さい。」である。
【０１１０】
図１３（ｃ）は第３画面Ｇ３を示す図である。第３画面Ｇ３は、第１弁３６１、及び第２弁３５３の開閉状態を循環モードに合わせるようユーザーに通知する画面である。第３画面Ｇ３は、第３メッセージＭ３を表示する。図１３（ｃ）に示す例において、第３メッセージＭ３は、「シアン色の第１弁を閉鎖して、第２弁を開放して下さい。」である。
【０１１１】
図１３（ｄ）は第４画面Ｇ４を示す図である。第４画面Ｇ４は、第１弁３６１、及び第２弁３５３の開閉状態を負圧モードに合わせるようユーザーに通知する画面である。第４画面Ｇ４は、第４メッセージＭ４を表示する。図１３（ｄ）に示す例において、第４メッセージＭ４は、「シアン色の第１弁、及び第２弁を閉鎖して下さい。」である。
【０１１２】
以上、図１から図１３を参照して、本発明の実施形態１にインクジェット記録装置１について説明した。実施形態１によれば、手動弁を使用するインクジェット記録装置１において、記録ヘッド２１から保存液を残らず排出できる。
【０１１３】
制御部７は、インクに正圧を加えて保存液及び空気を排出した後、インクに負圧を加えるようにインク供給機構３を制御する。その結果、インクジェット記録装置１は、液抜き後にインク吐出面２２から水頭差によってインクが垂れるのを防ぐことができる。制御部７は、インク供給機構３の記録ヘッド２１への取り付け不良、第１弁３６１、及び第２弁３５３の開閉不良をユーザーに通知することができる。
【０１１４】
（実施形態２）
図１４から図１６を参照して、本発明の実施形態２について説明する。実施形態２によれば、記録ヘッド２１から保存液を残らず自動的に排出できる。
【０１１５】
図１４は、実施形態２におけるインクジェット記録装置１の構成を示すブロック図である。図１４に示すように、実施形態２のインクジェット記録装置１は、第１弁３６１及び第２弁３５３の代わりに、第１電磁弁８１、及び第２電磁弁８２を使用している点を除けば、実施形態１のインクジェット記録装置１と構成が同じである。本実施形態のインク供給機構３は、第１電磁弁８１、及び第２電磁弁８２を有している。
【０１１６】
第１電磁弁８１、及び第２電磁弁８２は、制御部７によって開閉状態が制御される。換言すると、制御部７は、第１電磁弁８１、及び第２電磁弁８２の開閉状態を制御する。制御部７は、インク供給機構３のモード変更に応じて、第１電磁弁８１、及び第２電磁弁８２の開閉状態を制御する。
【０１１７】
制御部７は、検知部５３が記録ヘッド２１のインク供給機構３への取付けを検知すると、第１弁３６１を開放して第２弁３５３を閉鎖する。制御部７は、ポンプ部３２を駆動して、保存液をインク吐出面２２から排出させる。
【０１１８】
制御部７は、保存液をインク吐出面２２から排出させたのち、第１弁３６１を閉鎖して第２弁３５３を開放する。制御部７は、ポンプ部３２を駆動し、空気を下流管３５からポンプ部３２へ還流させる。ポンプ部３２に還流された空気は、インクとともにインク吐出面２２から排出される。
【０１１９】
続いて、図１５及び図１６を参照して、インクジェット記録装置１が記録ヘッド２１に充填されている保存液を排出する際の動作を説明する。図１５及び図１６は、本実施形態に係るインクジェット記録装置１が保存液を排出する際の動作を示すフローチャートである。図１５及び図１６に示す動作は、ユーザーが記録ヘッド２１を交換することによって開始する。
【０１２０】
なお、図１５及び図１６に示す動作は、ステップＳ２０２、ステップＳ２０６、及びステップＳ２０９を除いて、実施形態１と同じである。このため、ステップＳ２０２、ステップＳ２０６、及びステップＳ２０９以外について説明は省略する。
【０１２１】
ステップＳ２０２において、制御部７が、第１弁３６１を開放し、第２弁３５３を閉鎖する。
【０１２２】
ステップＳ２０６において、制御部７が、第１弁３６１を閉鎖し、第２弁３５３を開放する。
【０１２３】
ステップＳ２０９において、制御部７が、第２弁３５３を閉鎖する。
【０１２４】
以上、図１４から図１６を参照して、本発明の実施形態２のインクジェット記録装置１について説明した。実施形態２によれば、電磁弁を使用するインクジェット記録装置１において、記録ヘッド２１から保存液を残らず自動的に排出できる。
【０１２５】
以上、図面を参照しながら本実施形態について説明した。ただし、本発明は、上記の実施形態に限られるものではなく、その要旨を逸脱しない範囲で種々の態様において実施することが可能である（例えば、下記に示す（１）〜（５））。図面は、理解し易くするために、それぞれの構成要素を主体に模式的に示しており、図示された各構成要素の個数等は、図面作成の都合上から実際とは異なる場合がある。また、上記の実施形態で示す各構成要素の形状等は一例であって、特に限定されるものではなく、本発明の構成から実質的に逸脱しない範囲で種々の変更が可能である。
【０１２６】
（１）本実施形態においては、インクジェット記録装置１は、インク供給タンク２００が記録ヘッド２１の上側に配置される捺染装置であったが、本発明はこれに限定されない。例えば、本発明のインクジェット記録装置が、インク供給タンク２００が記録ヘッド２１の下側に配置される産業用インクジェット記録装置であってもよい。
【０１２７】
（２）本実施形態において、記録媒体は布Ｗであったが、本発明はこれに限定されない。例えば、記録媒体の材質は、紙であってもよい。長尺状の記録媒体（紙）に形成された画像は、長尺状の布Ｗに転写され得る。
【０１２８】
（３）本実施形態において、記録ヘッド２１の数が２つである構成を説明したが、記録ヘッド２１の数は２つに限定されない。記録ヘッド２１の数は、２つより多くてもよく、１つであってもよい。
【０１２９】
（４）本実施形態において、１つの記録ヘッド２１に４つのインク供給機構３が接続される構成について説明したが、本発明はこれに限定されない。１つの記録ヘッド２１に接続されるインク供給機構３の数は、４つより多くてもよく、４つ未満であってもよい。
【０１３０】
（５）本実施形態において、インクジェット記録装置１は、チューブポンプを有していたが、本発明はこれに限定されない。インクジェット記録装置１は、インクに正圧、又は負圧を加えることができるポンプであれば、特に限定することなく使用できる。
【産業上の利用可能性】
【０１３１】
本発明は、例えば、インクジェット記録装置の分野に有用である。特に、捺染を行うインクジェット記録装置の分野に有用である。
【符号の説明】
【０１３２】
１      インクジェット記録装置
２      記録部
３      インク供給機構
６      記憶部
７      制御部
２１    記録ヘッド
２２    インク吐出面
５１    計測部
２００  インク供給タンク
Ｗ      布（記録媒体）
【図１】
2020131621.tif 000003
【図２】
2020131621.tif 000004
【図３】
2020131621.tif 000005
【図４】
2020131621.tif 000006
【図５】
2020131621.tif 000007
【図６】
2020131621.tif 000008
【図７】
2020131621.tif 000009
【図８】
2020131621.tif 000010
【図９】
2020131621.tif 000011
【図１０】
2020131621.tif 000012
【図１１】
2020131621.tif 000013
【図１２】
2020131621.tif 000014
【図１３】
2020131621.tif 000015
【図１４】
2020131621.tif 000016
【図１５】
2020131621.tif 000017
【図１６】
2020131621.tif 000018